(57)【要約】【課題】メディアトレイを用いて薄板状の記録媒体への画像記録が可能な記録装置において、装置小型化と高品質な画像記録を両立する。【解決手段】メディアトレイの挿入をガイドするトレイガイドにはアーム部が設けられており、トレイガイドの移動に伴って排紙ローラのシャフトと拍車ステイとの間にアーム部が接触しながら進入してシャフトを基準にして拍車ステイが押し上げられ、ローラ部から拍車が離間してメディアトレイが通過可能な間隙が形成される。【選択図】図２
2018016034.tif 000002
【特許請求の範囲】
【請求項１】
シート状の第１記録媒体と、メディアトレイに保持された薄板状の第２記録媒体に画像を記録することが可能な記録装置であって、
シャフトと、前記シャフトよりも大径のローラ部を含む排紙ローラと、
記録部から排出される前記第１記録媒体を前記ローラ部との間で挟持する複数の拍車を回転可能に支持する拍車ステイと、
前記メディアトレイの挿入をガイドする、移動可能なトレイガイドと、
を有し、
前記トレイガイドにはアーム部が設けられており、前記トレイガイドを前記記録部に向けて移動するのに伴って前記シャフトと前記拍車ステイとの間に前記アーム部が接触しながら進入して前記シャフトを基準にして前記拍車ステイが押し上げられ、前記ローラ部から前記複数の拍車が離間して前記メディアトレイが通過可能な間隙が形成されることを特徴とする、記録装置。
【請求項２】
前記トレイガイドには幅方向における両側に２つの前記アーム部が設けられており、２つの前記アーム部の間に前記メディアトレイを移動させる経路が形成される、請求項１に記載の記録装置。
【請求項３】
前記幅方向において、２つの前記アーム部の間の距離は、使用が想定される最大サイズの前記第１記録媒体のシート幅よりも小さい、請求項２に記載の記録装置。
【請求項４】
前記トレイガイドは、前記記録部から排出された前記第１記録媒体を載せる排紙トレイに設けられており、前記排紙トレイの移動に連動して移動する、請求項１から３のいずれか１項に記載の記録装置。
【請求項５】
前記トレイガイドは、前記排紙トレイに対して揺動可能に支持されている、請求項４に記載の記録装置。
【請求項６】
前記アーム部が前記シャフトと前記拍車ステイの間に進入せずに離れた状態において、前記メディアトレイが前記トレイガイドの上の経路に進入することを防ぐ部材をさらに備える、請求項１から５のいずれか１項に記載の記録装置。
【請求項７】
前記シャフトとは金属でできており、前記ローラ部は摩擦係数が前記シャフトの表面よりも大きな材料でできている、請求項１から６のいずれか１項に記載の１記録装置。
【請求項８】
前記記録部は、インクジェット方式で前記第１記録媒体と前記第２記録媒体に画像を記録する、請求項１から７のいずれか１項に記載の記録装置。
【発明の詳細な説明】
【技術分野】
【０００１】
本発明は、メディアトレイに保持された薄板状の記録媒体に画像記録を行うことが可能な記録装置に関する。
【背景技術】
【０００２】
インクジェット方式の記録装置では、シート状の記録媒体に加えて、プリンタブルディスク等の薄板状の記録媒体にも記録を行うことが可能なものがある。特許文献１には、薄板状の記録媒体に記録を行う際に取り付けられるメディアトレイを案内するトレイガイドのセッティング動作と連動して、拍車を排紙ローラから離間させる機構を備えた記録装置が開示されている。このとき、拍車が薄板状の記録媒体に接触すると、薄板状の記録媒体のプリント面が損傷してしまうため、このような記録装置は、薄板状の記録媒体に対して記録を行う際には、この拍車を排紙ローラから離間させる機構を有している。
【先行技術文献】
【特許文献】
【０００３】
【特許文献１】特開２００６−０４４２７８号公報
【発明の概要】
【発明が解決しようとする課題】
【０００４】
特許文献１の装置では、拍車を支持する拍車ステイとプラテンとの間で拍車を排紙ローラから離間させるための連動機構が構成されている。この連動機構はシート状の記録媒体の通紙領域幅よりも外側に設けられている。このため、連動機構を設ける空間や連動機構の動作空間など、拍車を排紙ローラから離間させるための専用の空間が必要となり、装置の大型化とコスト上昇を招く要因となる。また、プラテンを位置基準にして拍車ステイを持ち上げるので、拍車ステイやトレイガイドに対する排紙ローラの位置精度を高めるためには、プラテンに高い部品精度と剛性、高い取付け精度が要求される。これも装置の大型化とコスト上昇の要因となる。
本発明の目的は、メディアトレイを用いて薄板状の記録媒体の表面への画像記録が可能な記録装置において、装置小型化と高品質な画像記録を両立することである。
【課題を解決するための手段】
【０００５】
本発明による記録装置は、シート状の第１記録媒体と、メディアトレイに保持された薄板状の第２記録媒体に画像を記録することが可能な記録装置であって、シャフトと、前記シャフトよりも大径のローラ部を含む排紙ローラと、記録部から排出される前記第１記録媒体を前記ローラ部との間で挟持する複数の拍車を回転可能に支持する拍車ステイと、前記メディアトレイの挿入をガイドする、移動可能なトレイガイドと、を有し、前記トレイガイドにはアーム部が設けられており、前記トレイガイドを前記記録部に向けて移動するのに伴って前記シャフトと前記拍車ステイとの間に前記アーム部が接触しながら進入して前記シャフトを基準にして前記拍車ステイが押し上げられ、前記ローラ部から前記複数の拍車が離間して前記メディアトレイが通過可能な間隙が形成される。
【発明の効果】
【０００６】
本発明によれば、メディアトレイを用いて薄板状の記録媒体の表面への画像記録が可能な記録装置において、装置小型化と高品質な画像記録を両立することができる。
【図面の簡単な説明】
【０００７】
【図１】本発明の第１の実施形態に係る記録装置１の斜視図である。
【図２】薄板状の記録媒体に記録する際の記録装置１の断面図である。
【図３】メディアトレイを挿入可能な状態の記録装置１の斜視図である。
【図４】メディアトレイを挿入した状態の記録装置１の断面図である。
【図５】収納状態の記録装置１の断面図である。
【図６】収納状態の記録装置１の斜視図である。
【図７】伸長状態の記録装置１の断面図である。
【図８】伸長状態の記録装置１の斜視図である。
【図９】排紙トレイの移動について説明するための図である。
【図１０】排紙トレイの移動について説明するための図である。
【図１１】本発明の第２の実施形態に係る記録装置２の概略斜視図である。
【図１２】記録装置２の概略断面図である。
【図１３】本発明の第３の実施形態に係る記録装置３の概略断面図である。
【発明を実施するための形態】
【０００８】
以下、本発明の実施形態について添付の図面を参照して説明する。なお、本明細書および図面において、同一の機能を有する構成要素については同じ符号を付することにより重複説明を省略する場合がある。
【０００９】
＜第１の実施形態＞
図１〜図１０は、本発明の第１の実施形態に係る記録装置１を示している。図１は、記録装置１の内部構成を透過させた状態で示す斜視図である。記録装置１は、画像を形成する画像形成装置であり、本例ではインクジェットプリンタである。この記録装置１は、例えば紙などの柔軟なシート状の第１記録媒体Ｓに対して画像記録（プリント）を行うことができ、さらに、プリンタブルディスク（CD、DVDなど）などの薄板状の第２記録媒体２１の表面にも画像記録を行うことができる。図１および図２は、第２記録媒体２１に対して記録を行う際の記録装置１の状態を示しており、図１は斜視図であり、図２は断面図である。図３は、図１および図２のメディアトレイ２０を記録装置１の底面近くに収納した状態を示している。なお、以下の説明中において、図１に示すｘ方向を記録装置１の幅方向、ｙ方向を奥行方向、ｚ方向を高さ方向と称する。
【００１０】
記録装置１は、記録ヘッド２と、キャリッジ３と、駆動ベルト４と、駆動モータ５とを含む記録部を筐体の内部に有する。インクジェット方式の記録ヘッド２は、インクなどの液体を貯留する液体タンクと、液体を吐出する吐出口などを備え、キャリッジ３に搭載されている。キャリッジ３は、不図示のレールによって水平に往復移動可能に支持されており、駆動ベルト４および駆動モータ５により駆動制御されて往復移動する。
【００１１】
記録ヘッド２が往復移動する領域の下方には、搬送ローラ６、ピンチローラ７、プラテン８、排紙ローラ９および拍車１０を含む搬送部が備えられている。搬送ローラ６の一端部には、搬送ローラ２段プーリ１１が一体的に設けられている。この搬送ローラ２段プーリ１１には、搬送モータ１２の駆動を伝達するための搬送モータベルト１３が架けられており、自在に正逆回転駆動を行うことができる。排紙ローラ９の一端部であって、搬送ローラ６の搬送ローラ２段プーリ１１が設けられた側には、排紙ローラプーリ１４が一体的に設けられている。搬送ローラ２段プーリ１１と排紙ローラプーリ１４との間には、排紙ローラベルト１５が架けられており、搬送ローラ６と排紙ローラ９とは、駆動モータ１２の駆動力に応じて、同期して駆動される。第１記録媒体Ｓに記録を行う際には、搬送ローラ６およびピンチローラ７は、第１記録媒体Ｓを挟持して、プラテン８上で記録ヘッド２による記録が可能な記録位置に搬送する。そして、バンド記録とステップ送りの搬送とを繰り返すシリアルプリント方式により画像が形成される。ここで、搬送ローラ６から排紙ローラ９に向かって第１記録媒体Ｓが搬送されるような駆動方向を正転駆動と称する。
【００１２】
排紙ローラ９は、回転するローラの軸部である金属シャフト９ａと、金属シャフト９ａと同芯であって金属シャフト９ａよりも大径な複数のローラ部９ｂとを含む。複数のローラ部９ｂは、金属シャフト９ａに巻きつくように所定の間隔をあけて配置されており、金属シャフト９ａと一体的に構成されている。ローラ部９ｂは、摩擦係数が金属シャフト９ａの表面よりも大きな材料、例えばＥＰＤＭゴム（エチレンプロピレンジエンゴム）等で形成されており、ローラ部９ｂの外周面がシート状の第１記録媒体Ｓに接触して第１記録媒体Ｓを搬送する。なお、金属シャフト部９ａは金属性であることには限定されず、金属以外の高剛性材質、例えばセラミック材料や樹脂などで作られたシャフトであってもよい。ローラ部９ｂの摩擦係数は、第１記録媒体Ｓとの間に生じる摩擦によって、排紙ローラ９の回転に伴い第１記録媒体Ｓが搬送される程度の値である。排紙ローラ９の上部には、複数の拍車１０と、複数の拍車１０をそれぞれ独立して回転可能に支持する拍車ステイ２３と、拍車ステイ２３を排紙ローラ９の方に向けて付勢する拍車ステイバネとが設けられている。記録装置１がシート状の第１記録媒体Ｓに対して記録を行う際には、拍車１０は、第１記録媒体Ｓを排紙ローラ９のローラ部９ｂとの間に挟持して記録済みの第１記録媒体Ｓを排出する。記録装置１が薄板状の第２記録媒体２１に対して記録を行う際には、拍車１０が第２記録媒体２１に接触しないように拍車１０を退避させるための構成を記録装置１は有している。
【００１３】
使用者は硬い樹脂製のメディアトレイ２０の規定位置に薄い円板形状の第２記録媒体２１を保持固定し、それを記録装置１内の記録部に向けて挿入する。メディアトレイ２０は、記録装置１のトレイガイド１９内に形成された経路内に挿入されて、記録装置１の奥行き方向に移動する。メディアトレイ２０の移動により、記録部の記録ヘッド２に対する第２記録媒体２１の相対的な位置が変化する。トレイガイド１９は、２つのアーム部１９ａを幅方向における両側に有しており、２つのアーム部１９ａの間に、第２記録媒体２１を搭載するメディアトレイ２０を奥行き方向に進退移動させる経路が形成される。トレイガイド１９の底面は、メディアトレイ２０の底面の高さ方向の位置を規制しており、２つのアーム部１９ａは、記録装置１の幅方向（ｘ方向）において、メディアトレイ２０の位置を規制している。トレイガイド１９の幅ならびに２つのアーム部の間の距離は、記録装置において使用が想定される種々の用紙サイズのうち最大サイズの第１記録媒体Ｓのシート幅よりも小さい。
【００１４】
記録装置１は、アーム部１９ａの位置が変化することにより、拍車１０の位置を変化させて、拍車１０を用いて第１記録媒体Ｓを排出する状態と、拍車１０が第２記録媒体２１に接触しないように退避した状態とを切り替えることができる。図１および図２は、拍車１０を退避させた状態を示している。アーム部１９ａは、排紙トレイ１６の一端に接続されており、排紙トレイ１６が記録装置１の奥行き方向で進退移動するのに伴ってアーム部１９ａの位置が変化する。アーム部１９ａは、排紙トレイ１６が記録装置１に挿入されると、排紙ローラ９の金属シャフト９ａと拍車ステイ２３との間に接触しながら進入して金属シャフト９ａの外周面（頂点）を基準にして拍車ステイ２３が持ち上がる。この状態では、排紙ローラ９と拍車１０とが離間してこれらの間にはメディアトレイ２０が通過可能な間隙が形成される。
【００１５】
図４は、第２記録媒体２１に対して記録を行う際の記録装置１の状態を示している。第２記録媒体２１を搭載したメディアトレイ２０を挿入する経路が形成されると、図４に示すように、この経路に沿ってメディアトレイ２０を記録装置１内に挿入することができる。この状態では、幅方向（ｘ方向）の両端部において、アーム部１９ａが拍車ステイ２３を押し上げており、拍車１０が第２記録媒体２１に接触しないようになっている。第２記録媒体２１は、メディアトレイ２０に搭載されて記録装置１の奥行き方向に進退移動して、記録ヘッド２に対する相対位置が変化する。この進退移動と記録ヘッド２による記録とを繰り返すことによって、第２記録媒体２１に対して画像が記録される。
【００１６】
図５は、記録装置１の収納状態を示している。図６は、収納状態にある記録装置１の斜視図である。記録装置１は、第２記録媒体２１に対する記録を行わない場合、収納状態をとることができる。収納状態では、メディアトレイ２０を本体の底面近くに収納することができる。収納状態では、メディアトレイ２０が挿入される状態よりも、排紙トレイ１６が記録装置１の奥行き方向で手前側（ｙ軸の正の向き）に引き出された状態にあり、アーム部１９ａは、拍車ステイ２３から離れた位置にある。この状態では、図１に示したロックレバー２２が不図示のボトムフレームのカム部に接触して、不図示の付勢バネにより付勢されたロックを乗り越えないとこれ以上後退しないように構成されている。ロックレバー２２によって付勢された力を超える力を加えると、排紙トレイ１６は、図３に示す状態まで、奥行き方向に差し込まれる。アーム部１９ａが拍車ステイ２３と金属シャフト部９ａとの間に進入した状態にないときに、メディアトレイ２０が記録装置１内に挿入されることを防ぐために、記録装置１は、メディアトレイストッパー２５を有している。メディアトレイストッパー２５は、アーム部１９ａが拍車ステイ２３から離れた位置にあるとき、メディアトレイ２０が挿入されるフロントステイ２６との間の隙間が小さくなる位置に保持される、メディアトレイ２０の進入を防ぐための部材である。この隙間は、メディアトレイ２０が挿入できない程度の大きさであることが好ましい。
【００１７】
収納状態においても、シート状の第１記録媒体Ｓに対する記録を行うことは可能であり、記録済みの第１記録媒体Ｓは、トレイガイド１９およびメディアトレイストッパー２５の上を通って記録装置１の外部に排出される。
【００１８】
記録装置１は、図１〜図４に示した第２記録媒体２１への記録を行う状態、および、図５および図６に示した収納状態の他に、記録済みの第１記録媒体Ｓを受け止める排紙トレイ１６を引き出して伸長させた伸長状態とをとることができる。図７および図８は、伸長状態の記録装置１の状態を示している。伸長状態では、排紙ローラ９と拍車１０に挟持されて排出された記録済の第１記録媒体Ｓは、排紙トレイ１６の上に載る。排紙トレイ１６の先端は、排紙トレイ１６の内側に向けて傾斜した状態となるように隆起している隆起部を有している。排紙トレイ１６にはトレイガイド１９が設けられており、伸長位置では、トレイガイド１９が自重で倒れた状態で排紙トレイ１６と共に隆起部を形成している。隆起部を有することによって、排出された第１記録媒体Ｓがより確実に排紙トレイ１６上に載置されるようになり、隆起部が排出された第１記録媒体Ｓを傾斜させた状態で支える。
【００１９】
トレイガイド１９は、排紙トレイ１６の端部を中心に揺動可能に支持されている。伸長状態から、記録装置１の奥行き方向で記録装置１の本体に挿入するように排紙トレイ１６を図９に示す位置まで押し込むと、隆起部に設けられたリンクレバー２４の凸部にボトムフレーム２８が接触して、リンクレバー２４が上昇する。リンクレバー２４が図１０に示す状態まで上昇すると、リンクレバー２４によってトレイガイド１９およびメディアトレイストッパー２５が押されて揺動上昇し、アーム部１９ａが金属シャフト部９ａに接触した収納状態となる（図５および図６）。
【００２０】
収納状態において、ロックレバー２２により付勢されたロック力に抗してさらに排紙トレイ１６を押し込むと、アーム部１９ａが金属シャフト部９ａに接触したままさらに持ち上げられる。アーム部１９ａは、拍車ステイ２３に接触して拍車ステイ２３と金属シャフト部９ａとの間に進入する。このときアーム部１９ａは、拍車ステイ２３を持ち上げて、拍車ステイ２３と金属シャフト部９ａとの間に進入して両者に接触した状態で保持されて、排紙ローラ９のローラ部９ｂから全ての拍車１０が離間する。この状態では、メディアトレイ２０を記録装置１内に挿入することが可能であり、メディアトレイ２０に搭載された第２記録媒体２１へのプリントが可能である。
【００２１】
第２記録媒体２１へのプリントを行う際には、使用者が第２記録媒体２１を搭載したメディアトレイ２０をトレイガイド１９上に挿入して、所定の位置までメディアトレイ２０を押し込む。このときメディアトレイ２０の先端は搬送ローラ６より少し手前に位置する。そして操作部を用いて使用者がプリントの開始を指示すると、メディアトレイ２０は、メディアトレイ押圧コロ２７により付勢されて、排紙ローラ９および搬送ローラ６の逆転動作により引き込まれて記録ヘッド２の直下に第２記録媒体２１の前端が位置する。その後記録ヘッド２による帯状のプリントとメディアトレイ２０の搬送とが繰り返されて、第２記録媒体２１に画像が記録される。メディアトレイ２０の後端には凹部が設けられており、この凹部にメディアトレイ押圧コロ２７が嵌るとメディアトレイ２０の後端がわずかに上昇してお辞儀した姿勢でメディアトレイ２０が排紙ローラ９から離れて停止する。停止したメディアトレイ２０を使用者が抜き取ると、メディアトレイ２０から画像記録済みの第２記録媒体２１を取り外すことができる。第２記録媒体２１への記録中には、全ての拍車１０が排紙ローラ９から離間しているため、第２記録媒体２１の表面を損傷することを回避することができる。その後、排紙トレイ１６を手前に引き出すことで、拍車ステイ２３が下がり、再び記録装置１を収納状態や伸長状態とすることができる。
【００２２】
再び図１０を参照すると、排紙トレイ１６の一端部には、駆動ラック部１６ａが設けられている。この駆動ラック部１６ａは、トレイ駆動ギア列１７と常時連結されている。トレイ駆動ギア列１７は、排紙トレイ１６の進退移動に連動して回転する。排紙ローラ９の一端部には、排紙ローラ９の駆動をトレイ駆動ギア列１７に連結したり切り離したりすることができる駆動連結トリガー部１８が設けられている。駆動連結トリガー部１８は、排紙ローラ９が一定回転以上逆転し、キャリッジ３が最短部へ移動することによって駆動連結する。排紙ローラ９が正転すると、排紙トレイ１６が伸長および前進して、排紙ローラ９が逆転すると、排紙トレイ１６が収縮および後退する。不図示の検知手段によって排紙トレイ１６の位置を検知して、排紙トレイ１６を所定の位置に移動させることができる。キャリッジ３が最端部から退避すると、連結が解除される。非連結時には、排紙トレイ１６は、使用者の操作により移動させることができ、不図示の検知手段によって排紙トレイ１６の位置を検知することができる。
【００２３】
以上説明したとおり、本実施形態では、従来のようなプラテンでなく、排紙ローラ９の軸部である金属シャフト９を直接の位置基準にして拍車ステイ２３を押し上げる。このため、拍車ステイとメディアトレイとの間隔がより高精度に寸法管理され、メディアトレイやそれに保持固定される第２記録媒体に対して複数の拍車の一部が触れてしまうことが避けられる。またトレイガイドとメディアトレイとの位置関係もより高精度に管理される。これにより、第２記録媒体に対して高品質な画像記録を行うことができる。見方を変えれば、プラテン８に高い部品精度と剛性、高い取付け精度が要求されることが無いので、装置小型化・低コスト化と高品質な画像記録を両立することができる。
【００２４】
また、本実施形態では、トレイガイドには幅方向における両側に２つのアーム部が設けられており、２つのアーム部の間にメディアトレイを移動させる経路が形成される。そして、２つのアーム部の間の距離は、使用が想定される最大サイズの第１記録媒体のシート幅よりも小さい。つまり通紙領域幅よりも内側に２つのアーム部が位置している。２つのアーム部がいずれも排紙ローラ９のローラ部ではなくシャフトに接触する構造によりこの配置が実現している。これにより装置小型化・低コスト化と高品質な画像記録を両立することができる。
【００２５】
＜第２の実施形態＞
図１１および図１２は、本発明の第２の実施形態に係る記録装置２の構成を示している。この記録装置２は、記録装置１のトレイガイド１９の代わりにトレイガイド２１９を有し、排紙トレイ１６の代わりに排紙トレイ前部２１６ａおよび排紙トレイ後部２１６ｂを有する。以下、記録装置１と異なる部分について主に説明する。
【００２６】
排紙トレイは、スライド移動により進退移動可能な２段排紙トレイである。トレイガイド２１９は、トレイガイドアーム２１９ａと、トレイガイドベース前部２１９ｂと、トレイガイドベース後部２１９ｃとを有している。排紙トレイ後部２１６ｂには、トレイガイドベース前部２１９ｂとトレイガイドアーム２１９ａとがそれぞれ揺動可能に連結し、それぞれが２つの４節リンク機構を構成している。
【００２７】
図１１（ａ）および図１２（ａ）は、第２記録媒体２１へのプリントを行う状態を示している。メディアトレイ２０を進退移動させるときの底面の位置をトレイガイド２１９が規定すると共に、トレイガイドアーム２１９ａによってメディアトレイ２０の両端の位置を規制してメディアトレイ２０を記録ヘッド２の下部に案内する。排紙トレイ前部２１６ａを引き出してトレイガイドベース前部２１９ｂの前端を引き起こすと、トレイガイドアーム２１９ａは、金属シャフト部９ａと拍車ステイ２３との間に進入する。これにより、トレイガイドアーム２１９ａの楔形状のカム面が拍車ステイ２３を押し上げて、排紙ローラの金属シャフト部９ａに対して離間させる。またメディアトレイによるプリント時に、プラテン等の部品を介さずトレイガイドが排紙ローラのシャフトに直接接触しているため、排紙ローラに対するトレイガイドの高さ精度や排紙ローラに対する拍車ステイの高さ精度が向上する。
【００２８】
第２記録媒体２１へのプリントを終えると、トレイガイドベース前部２１９ｂの先端を手前に引くと、図１１（ｂ）および図１２（ｂ）に示すように、トレイガイドアーム２１９ａは、金属シャフト部と拍車ステイとの間から抜けて、拍車ステイは下降する。このときトレイガイドアーム２１９ａ、トレイガイドベース前部２１９ｂ、トレイガイドベース後部２１９ｃのそれぞれは略平行に退避して、第１記録媒体の積載面を形成する。トレイガイドが２１９が退避した状態で排紙トレイ前部２１６ａを後退させると、記録装置２の本体内に収納することができる。
【００２９】
本実施形態では、排紙トレイを引き延ばした状態で第２記録媒体に記録を行うことができるため、排紙トレイがメディアトレイ２０が排出されたときの受け面を構成することができる。
【００３０】
＜第３の実施形態＞
図１３は、本発明の第３の実施形態に係る記録装置３の構成を説明するための図である。記録装置３も記録装置１および２と同様に、シート状の第１記録媒体Ｓに対する記録に加えて、薄板状の第２記録媒体２１に対する記録を行うことができる。
【００３１】
記録装置３は、記録装置１のトレイガイド１９の代わりにトレイガイド３１９を有している。トレイガイド３１９は、２つのアーム３１９ａを幅方向における両端に有している。トレイガイド３１９は、フロントステイ３２６に固定して設けられたガイドレール３２９挟持されており、進退移動可能である。図１３（ａ）に示す、第２記録媒体２１に記録を行う状態では、第１の実施形態と同様に、アーム３１９ａが排紙ローラ９の金属シャフト部９ａと拍車ステイ２３との間に進入する。これにより、拍車ステイ２３を排紙ローラ９から離間させている。
【００３２】
図１３（ａ）に示す状態から、トレイガイド３１９を手前に引き出すと、トレイガイド３１９のアーム３１９ａは金属シャフト部９ａと拍車ステイ２３との間から抜けて拍車ステイ２３から離れる。拍車ステイ２３は下降して第１記録媒体Ｓに対して記録を行う状態に移行する。トレイガイド３１９は、姿勢を変えながら第１記録媒体Ｓの排出領域の上部の空間に退避可能である。この実施形態では、トレイガイド３１９と排紙トレイとが独立しているため、複雑なリンク機構が不要となり、コストの低減を図ることができる。また操作手順も簡素化されるため、操作性も向上する。
【００３３】
以上、実施形態を参照して本願発明を説明したが、本願発明は上記実施形態に限定されるものではない。本願発明の構成や詳細には、本願発明の技術的思想の範囲内で当業者が理解し得る様々な変更をすることができる。
【符号の説明】
【００３４】
Ｓ    シート状の第１記録媒体
２    記録ヘッド
３    キャリッジ
６    搬送ローラ
９    排紙ローラ
９ａ  排紙ローラ 金属シャフト
９ｂ  排紙ローラ ローラ部
１０  拍車
１６  排紙トレイ
１７  トレイ駆動ギア列
１８  駆動連結トリガー部
１９  トレイガイド
１９ａトレイガイド アーム部
２０  メディアトレイ
２１  薄板状の第２記録媒体
２２  ロックレバー
２３  拍車ステイ
２４  リンクレバー
２５  メディアトレイストッパー
２６  フロントステイ
２７  メディアトレイ押圧コロ
２８  ボトムフレーム
【図１】
2018016034.tif 000003
【図２】
2018016034.tif 000004
【図３】
2018016034.tif 000005
【図４】
2018016034.tif 000006
【図５】
2018016034.tif 000007
【図６】
2018016034.tif 000008
【図７】
2018016034.tif 000009
【図８】
2018016034.tif 000010
【図９】
2018016034.tif 000011
【図１０】
2018016034.tif 000012
【図１１】
2018016034.tif 000013
【図１２】
2018016034.tif 000014
【図１３】
2018016034.tif 000015